【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
アクセスネットワークにおける回線給電ネットワーク要素を制御する方法であって、
前記回線給電ネットワーク要素における回線電力コントローラの少なくとも１つのインスタンスのプロビジョニングを行うステップと、
前記回線電力コントローラの前記少なくとも１つのインスタンスに関連付けられる少なくとも１つの導電性媒体のプロビジョニングを行うステップと、
前記回線給電ネットワーク要素を管理するため前記回線電力コントローラが使用する少なくとも１つの基本変数を受け取るステップと、
前記回線電力コントローラの前記少なくとも１つのインスタンスに関連付けられる少なくとも１つの電力制御機能のプロビジョニングを行うステップと、
前記少なくとも１つの基本変数の少なくとも１つを監視するステップと、
前記回線給電ネットワーク要素の電力状態に応答し、前記少なくとも１つの基本変数の監視されたものに基づいて、前記少なくとも１つの回線電力制御機能を通じて選択的に措置を講じるステップとを含む方法。
【請求項２】
少なくとも１つの基本変数を受け取る前記ステップが、要素管理システムからのパススルーとして、ソースネットワーク要素から前記少なくとも１つの基本変数を受け取るステップを含む、請求項１に記載の方法。
【請求項３】
少なくとも１つの基本変数を受け取る前記ステップが、要素管理システム上で実行される電力管理アプリケーションと前記回線電力コントローラとの間のインタフェースを規定する基本変数の集合を受け取るステップを含む、請求項１に記載の方法。
【請求項４】
少なくとも１つの基本変数を受け取る前記ステップが、前記回線電力コントローラと前記少なくとも１つの回線電力制御機能との間のインタフェースを規定する基本変数の集合を受け取るステップを含む、請求項１に記載の方法。
【請求項５】
選択的に措置を講じる前記ステップが、１つかそれ以上の電力セーブ及び保護スイッチング機能を起動するステップを含む、請求項１に記載の方法。
【請求項６】
前記回線電力コントローラの前記少なくとも１つのインスタンスに関連付けられる少なくとも１つの導電性媒体のプロビジョニングを行う前記ステップが、通信信号をも伝送する少なくとも１つの導電性媒体を関連付けるステップを含む、請求項１に記載の方法。
【請求項７】
前記回線電力コントローラの前記少なくとも１つのインスタンスに関連付けられる少なくとも１つの導電性媒体のプロビジョニングを行う前記ステップが、少なくとも１つの媒体インタフェースによって少なくとも１つの導電性媒体を関連付けるステップを含む、請求項１に記載の方法。
【請求項８】
アクセスネットワークにおける回線給電ネットワーク要素を制御する方法であって、
前記回線給電ネットワーク要素における回線電力コントローラの少なくとも１つのインスタンスのプロビジョニングを行うステップと、
前記回線電力コントローラの前記少なくとも１つのインスタンスに関連付けられる少なくとも１つの導電性媒体のプロビジョニングを行うステップと、
前記回線給電ネットワーク要素を管理するため前記回線電力コントローラが使用する少なくとも１つの基本変数を受け取るステップと、
前記少なくとも１つの基本変数の少なくとも１つを監視するステップと、
前記回線給電ネットワーク要素のための電力条件に応答し、前記少なくとも１つの基本変数の監視されたものに基づいて、前記少なくとも１つの回線電力コントローラを通じて選択的に措置を講じるステップとを含む方法。
【請求項９】
少なくとも１つの基本変数を受け取る前記ステップが、選択したサービスについての電力プロファイルに関連付けられる複数の基本変数を受け取るステップを含む、請求項８に記載の方法。
【請求項１０】
さらに、前記回線給電ネットワーク要素に関連付けられるデータベース中に前記受け取った基本変数を格納するステップを含む、請求項８に記載の方法。
【請求項１１】
前記受け取った基本変数を格納する前記ステップが、前記回線電力コントローラの前記インスタンスの識別子を生成するステップと、前記識別子に関連付けられる基本変数をデータベース中に格納するステップとを含む、請求項１０に記載の方法。
【請求項１２】
少なくとも１つの基本変数を受け取る前記ステップが、制御基本変数と、警報基本変数と、監視基本変数のうち少なくとも１つを受け取るステップを含む、請求項８に記載の方法。
【請求項１３】
さらに、前記少なくとも１つの基本変数を使用してデータを出力するステップを含む、請求項８に記載の方法。
【請求項１４】
データを出力する前記ステップが、警報または条件をクラフトポート及び遠隔監視局のうち１つに出力するステップを含む、請求項１３に記載の方法。
【請求項１５】
前記回線電力コントローラの前記少なくとも１つのインスタンスによって少なくとも１つの導電性媒体のプロビジョニングを行うステップが、通信信号をも伝送する少なくとも１つの導電性媒体を関連付けるステップを含む、請求項８に記載の方法。
【請求項１６】
前記回線電力コントローラの前記少なくとも１つのインスタンスによって少なくとも１つの導電性媒体のプロビジョニングを行うステップが、少なくとも１つの媒体インタフェースによって少なくとも１つの導電性媒体を関連付けるステップを含む、請求項８に記載の方法。
【請求項１７】
回線電力をサブテンデッドシンクネットワーク要素に提供する、アクセスネットワークにおけるソースネットワーク要素であって、
１つかそれ以上の通信リンクを介して前記サブテンデッドシンクネットワーク要素とやり取りする通信信号を提供し、かつ前記サブテンデッドシンクネットワーク要素に回線給電を提供する通信回路と、
前記通信回路に結合したプロセッサであって、前記プロセッサが、前記サブテンデッドシンクネットワーク要素でプロビジョニングされたサービスに基づいて、回線電力コントローラをインスタンス化することができ、前記回線電力コントローラが、少なくとも１つのプロビジョニングされた基本変数に基づいて、前記ソースネットワーク要素及び前記シンクネットワーク要素の消費電力を監視及び制御することができ、前記回線電力コントローラが、前記ソースネットワーク要素と前記シンクネットワーク要素との間で電力を伝える少なくとも１つの導電性媒体に関連付けられるプロセッサとを備えるソースネットワーク要素。
【請求項１８】
前記回線電力コントローラが、前記少なくとも１つのプロビジョニングされた基本変数に基づいて、電力セーブ機能を起動することができる、請求項１７に記載のソースネットワーク要素。
【請求項１９】
さらに、基本変数のデータベースを有するデータストアを備え、前記回線電力コントローラが前記ソースネットワーク要素についての基本変数の前記データベースを保持する、請求項１７に記載のソースネットワーク要素。
【請求項２０】
前記回線電力コントローラが、前記ソースネットワーク要素の消費電力を監視及び制御する少なくとも１つの回線電力制御機能のプロビジョニングを行う、請求項１７に記載のソースネットワーク要素。
【請求項２１】
さらに、前記通信回路の出力に結合し、前記通信信号と同じリンク上での電力信号の伝送を可能にすることができるスプリッタを備える、請求項１７に記載のソースネットワーク要素。
【請求項２２】
前記回線電力コントローラが、少なくとも１つの媒体インタフェースによって少なくとも１つの導電性媒体に関連付けられる、請求項１７に記載のソースネットワーク要素。
【請求項２３】
アクセスネットワークにおけるソースネットワーク要素からサブテンドされ、前記ソースネットワーク要素から回線電力を受け取るシンクネットワーク要素であって、
前記ソースネットワーク要素といくつかの加入者インタフェースとの間の通信信号を提供する通信回路と、
前記通信回路に結合したプロセッサであって、前記プロセッサが、前記シンクネットワーク要素でプロビジョニングされたサービスに基づいて、回線電力コントローラをインスタンス化することができ、前記回線電力コントローラが、少なくとも１つのプロビジョニングされた基本変数に基づいて、前記シンクネットワーク要素の消費電力を監視及び制御することができ、前記回線電力コントローラが、前記ソースネットワーク要素と前記シンクネットワーク要素との間で電力を伝える少なくとも１つの導電性媒体に関連付けられるプロセッサとを備えるシンクネットワーク要素。
【請求項２４】
前記回線電力コントローラが、前記シンクネットワーク要素の消費電力を監視及び制御する少なくとも１つの回線電力制御機能のプロビジョニングを行う、請求項２３に記載のシンクネットワーク要素。
【請求項２５】
前記少なくとも１つの回線電力制御機能が、前記少なくとも１つのプロビジョニングされた基本変数に基づいて前記シンクネットワーク要素に対してプロビジョニングされたサービスを無効にするかまたは低下させる、請求項２４に記載のシンクネットワーク要素。